(57)【要約】【課題】作業者が立坑内に楽に且つ安全に出入りすることのできるグレーチング構造を提供する。【解決手段】立坑２の出入口３に固定された受け枠４にグレーチング蓋５が開閉可能に嵌め込まれているグレーチング構造において、受け枠４に梯子支持部１３を設け、該梯子支持部１３に、上端部６ａが受け枠４より上方へ突出する起立姿勢に且つ着脱可能な連結手段１４を介して支持される補助梯子６を備える。【選択図】図１
0003168703.tif 000002
【実用新案登録請求の範囲】
【請求項１】
立坑の出入口に固定された受け枠にグレーチング蓋が開閉可能に嵌め込まれているグレーチング構造において、前記受け枠に梯子支持部を設け、該梯子支持部に、上端部が受け枠より上方へ突出する起立姿勢に且つ着脱可能な連結手段を介して支持される補助梯子を備えていることを特徴とする、グレーチング構造。
【請求項２】
前記補助梯子は、相対向する手摺用縦杆と、この縦杆どうし間に付けた１本もしくは上下方向に２本以上の足掛け用横杆とからなり、前記着脱可能な連結手段は、支持孔もしくは支持突起からなる前記梯子支持部と、前記梯子支持部に対し抜き差し可能に形成された補助梯子の手摺用縦杆の下端部とからなる、請求項１記載のグレーチング構造。
【請求項３】
前記補助梯子は、相対向する手摺用縦杆と、この縦杆どうし間に付けた１本もしくは上下方向に２本以上の足掛け用横杆とからなり、前記着脱可能な連結手段は、支持孔もしくは支持突起からなる前記梯子支持部と、前記梯子支持部に対し抜き差し可能に形成された補助梯子の上下方向の略中間部に配された足掛け用横杆とからなる、請求項１記載のグレーチング構造。
【請求項４】
前記最下段の足掛け用横杆は、前記梯子支持部に引掛け可能に形成してある、請求項１又は２記載のグレーチング構造。
【請求項５】
前記補助梯子の下端側には、前記梯子支持部に係合可能な係合部を設けている、請求項１又は２記載のグレーチング構造。
【請求項６】
前記補助梯子と前記受け枠とを鎖でつないでいる、請求項１ないし５のいずれか１項に記載のグレーチング構造。
【考案の詳細な説明】
【技術分野】
【０００１】
本考案は、地下の上下水道、電気・通信ケーブル等の保守点検や清掃作業の目的で作業者が出入りできるように地面に設けられた立坑（縦穴）の出入口に設置される補助梯子を具備したグレーチング構造に関する。
【背景技術】
【０００２】
通常、この種の立坑の内壁面には、作業者が昇降するためのステップが鉛直方向に立坑の出入口付近まで所定の間隔で複数個取り付けられ、全体として梯子状の物が設けられている。しかし、上記ステップは、昇り降りの足掛け部および掴まり部としては適しているが、立坑内にのみ設けられているため、出入口から外へ出る際、あるいは立坑内に入る際の補助部材としては十分ではない。
作業者が立坑内に入る際には、出入口を塞いでいるグレーチング蓋を開け、出入口の地面に手をつくなどして体重を支えつつ、最上段のステップに足を掛ける動作が必要である。また、立坑内から出る際にも、ステップを使って出入口近辺の高さまで昇ってきた後、出入口の地面に手をついて体重を支えながら地上に這い上がる必要がある。このように、地上から立坑内に入るとき、または立坑内から地上に出るときには、最上段のステップと地上との間にステップが無いため、地面に手をついて昇り降りすることになる。これでは降雨時など地面が濡れている場合には、特に危険性が伴う。
【０００３】
そこで、立坑内に出入りする際には、作業者の肉体に大きな負担があるため、この負担を軽減することと、また安全に出入りできることが要望されている。
かかる要望に応えるために、マンホールの開口部にはめ込まれた着脱可能なマンホール蓋の内側に、マンホール内への出入りを安全にする補助梯子（転落防止具付梯子、転落防止用蓋）を起立姿勢（使用時）と水平姿勢（不使用時の収納状態）とに姿勢切り替え自在に備えておくという技術（例えば、特許文献１，２，３等参照。）を適用することが考えられる。
【先行技術文献】
【特許文献】
【０００４】
【特許文献１】実公昭６２−５０８７号公報
【特許文献２】特開平１０−１５９１１６号公報
【特許文献３】特開２００１−１５９１４４号公報
【考案の概要】
【考案が解決しようとする課題】
【０００５】
しかしながら、起立姿勢と水平姿勢に姿勢切り替え自在にする上記マンホール用補助梯子（転落防止具付梯子、転落防止用蓋）ではその構造、組立てが複雑化するという問題が生じる。そればかりか、次のような問題も発生する。すなわち、上記マンホール用補助梯子（転落防止具付梯子、転落防止用蓋）は非透水性の鋼板タイプのマンホール蓋の内側に常備されておいても問題がないものの、透水性を確保するために格子状に組立てなるグレーチング蓋に適用するとなると、不使用時に補助梯子の内側に水平姿勢に収納される補助梯子がグレーチング蓋の格子状の孔を塞いでしまって透水作用を妨げ、グレーチング蓋本来の透水機能を確保できないという問題が発生する。
【０００６】
本考案は、上記問題点を解決するためになされたものであり、その目的とするところは、構造、組立ての簡素化を図り得ながら、作業者が立坑内に楽に且つ安全に出入りすることのできるグレーチング構造を提供することにある。
【課題を解決するための手段】
【０００７】
本考案に係るグレーチング構造は、請求項１に記載のように、立坑の出入口に固定された受け枠にグレーチング蓋が開閉可能に嵌め込まれているグレーチング構造において、前記受け枠に梯子支持部を設け、該梯子支持部に、上端部が受け枠より上方へ突出する起立姿勢に且つ着脱可能な連結手段を介して支持される補助梯子を備えていることに特徴を有するものである。
【０００８】
上記構成によれば、グレーチング蓋を開け、補助梯子を受け枠の梯子支持部に起立姿勢に連結手段を介して支持することで、補助梯子を手掛りや足掛りにして立坑内に楽にかつ安全に出入りすることができる。補助梯子の不使用時には補助梯子を受け枠の梯子支持部から取り外すことができる。
【０００９】
請求項１に記載のグレーチング構造は、請求項２に記載のように、前記補助梯子は、相対向する手摺用縦杆と、この手摺用縦杆どうし間に付けた１本もしくは上下方向に２本以上の足掛け用横杆とからなり、前記着脱可能な連結手段は、支持突起もしくは支持孔からなる前記梯子支持部と、この梯子支持部に対し抜き差し可能に形成された補助梯子の手摺用縦杆の下端部とからなる、という構成を採用することができる。
これによると、補助梯子の手摺用縦杆の下端部を受け枠の梯子支持部に抜き差しするだけの簡単な操作で、補助梯子の取り付け、取り外しが容易に行える。
【００１０】
請求項１に記載のグレーチング構造は、請求項３に記載のように、前記補助梯子は、相対向する手摺用縦杆と、この手摺用縦杆どうし間に付けた１本もしくは上下方向に２本以上の足掛け用横杆とからなり、前記着脱可能な連結手段は、支持突起もしくは支持孔からなる前記梯子支持部と、この梯子支持部に対し抜き差し可能に形成された補助梯子の上下方向の略中間部に配された足掛け用横杆とからなる、という構成を採用することができる。
これによると、補助梯子の上下方向の略中間部に配された足掛け用横杆を梯子支持部の支持突起もしくは支持孔に差し込むことにより、立坑内に既設の最上段のステップと立坑の出入口との間隔が大きく開いていて、その間での足掛けや手摺（手掴み）が困難ないし不可能である場合も、その間隔を補助梯子の上下方向の略中間部に配された足掛け用横杆と補助梯子の下端部との間の部分で足掛けや手摺作用を補うことができる。
【００１１】
請求項１又は２記載のグレーチング構造は、請求項４に記載のように、前記最下段の足掛け用横杆は、前記梯子支持部に引掛け可能に形成してある、という構成を採用することができる。これによると、梯子支持部は補助梯子の起立姿勢の支持機能と、補助梯子の不使用時における収納機能とに兼用できる。また、補助梯子の最下段の足掛け用横杆を梯子支持部に引掛けて垂れ下げることができることにより、グレーチング蓋の格子部の孔を塞ぐことのない補助梯子の収納状態を得ることができるため、グレーチング蓋の透水性を確保できる。
【００１２】
請求項１又は２記載のグレーチング構造は、請求項５に記載のように、前記補助梯子の下端側には、前記梯子支持部に係合可能な係合部を設けている、という構成を採用することができる。
これによると、梯子支持部は補助梯子の起立姿勢の支持機能と、補助梯子の不使用時における収納機能とに兼用できる。また、補助梯子の下端側の係合部を梯子支持部に引掛けて垂れ下げることができることにより、グレーチング蓋の格子部の孔を塞ぐことのない補助梯子の収納状態を得ることができるため、グレーチング蓋の透水性を確保できる。
【００１３】
請求項１ないし５のいずれか１項に記載のグレーチング構造は、請求項６に記載のように、前記補助梯子と前記受け枠とを鎖でつないでいる、という構成を採用することができる。これによると、補助梯子の不用意な紛失や落下を防止できる。
【考案の効果】
【００１４】
本考案によれば、補助梯子を受け枠の梯子支持部に着脱可能に支持するという簡単な手段で、作業者が立坑内に楽に且つ安全に出入りすることができるという効果がある。
【図面の簡単な説明】
【００１５】
【図１】本考案の一実施例のグレーチング構造を補助梯子の使用状態で示す縦断正面図である。
【図２】同グレーチング構造を補助梯子の使用状態でかつグレーチング蓋を外した状態で示す平面図である。
【図３】同グレーチング構造を補助梯子の使用状態でかつグレーチング蓋を外した状態で示す縦断側面図である。
【図４】同グレーチング構造を補助梯子の収納状態で示す縦断正面図である。
【図５】同グレーチング構造を補助梯子の収納状態でかつグレーチング蓋を外した状態で示す平面図である。
【図６】同グレーチング構造を補助梯子の収納状態でかつグレーチング蓋を外した状態で示す縦断側面図である。
【図７】同グレーチング構造に使用する転倒防止用ロックピンの側面図である。
【図８】他の実施例のグレーチング構造を図１に対応して示す縦断正面図である。
【図９】更に他の実施例のグレーチング構造を図６に相応して一部破断状態で示す縦断正面図である。
【考案を実施するための形態】
【００１６】
以下、本考案に係るグレーチング構造の好適な実施形態について図面に基づいて説明する。
【００１７】
図１〜図６に示すように、本考案の実施形態に係るグレーチング構造１は、立坑２の出入口３に固定された金属製の四角形に枠組みされた受け枠４と、この受け枠４に開閉可能に嵌め込まれた金属製のグレーチング蓋５、および金属製の補助梯子６を備える。立坑２の内壁面には、作業者が昇降するためのステップ７が鉛直方向に立坑２の出入口付近まで所定の間隔で複数個取り付けられている。
【００１８】
グレーチング蓋５は、図１、図４に示すように、四角形に枠組みされた周枠８内に複数本のバー９を格子状に組み付けてなる。図示例では、一対のグレーチング蓋５，５が受け枠４内にそれぞれ回動軸１０を介して観音開き状に開閉できるものとしてあるが、これに代えて、受け枠４内に一枚のグレーチング蓋５を片開き可能に納めるものであってもよい。
【００１９】
補助梯子６は、相対向する左右一対の手摺用縦杆１１，１１と、この手摺用縦杆１１，１１どうし間に付けた１本もしくは上下方向に２本以上の足掛け用横杆１２とからなる。図１、図４に例示する補助梯子６では、足掛け用横杆１２が最下段の足掛け用横杆１２Ｅと略中間部の足掛け用横杆１２Ｍの２本が設けられている。手摺用縦杆１１の上端側は、当該箇所に手を安全に且つ掛け易くするために図３中に二点鎖線１１ａで示すようにＵ字型に湾曲する形に形成するもよい。
【００２０】
受け枠４には補助梯子６を支持するための梯子支持部１３を設ける。そして、該梯子支持部１３に対し補助梯子６が、図１に示すように上端部６ａを受け枠４より上方へ突出する起立姿勢に且つ着脱可能な連結手段１４を介して支持される。
【００２１】
着脱可能な連結手段１４としては、図１に示す実施例では、受け枠４の内周の二箇所から支持板１５を垂下させ、該支持板１５に支持突起１６を設けてこれら支持板１５および支持突起１６で梯子支持部１３を構成するとともに、該支持突起１６に補助梯子６の手摺用縦杆１１の下端部１１ｂを抜き差しするようになしたものである。しかし、これに限定されず、着脱可能な連結手段１４としては、前記支持板１５に前記支持突起１６に代わる支持孔(図示省略、以下、同じ)を設け、この支持孔に補助梯子６の手摺用縦杆１１の下端部１１ｂを抜き差しできるように構成することもできる。
【００２２】
図４〜図６に示すように、補助梯子６の不使用時に、補助梯子６はこれを上下反転させて最下段の足掛け用横杆１２Ｅを上記受け枠４の片方の梯子支持部１３の支持板１５に引掛け吊り下げて収納することができるように成してある。
【００２３】
次に、上記補助梯子６の使用方法および不使用時における収納方法について説明する。
いま、作業者が立坑２内に出入りする際には、図１に示すように、グレーチング蓋５を開放し、補助梯子６の手摺用縦杆１１の下端部１１ｂを受け枠４側の梯子支持部１３である支持突起１６または支持孔に差し込むことにより補助梯子６がこれの上端部６ａを受け枠４より上方に突出する起立姿勢に支持される。したがって、作業者は補助梯子６の手摺用縦杆１１を手で掴み、足掛け用横杆１２に足を掛けることにより、立坑２内に楽にかつ安全に出入りすることができる。なお、図１において、グレーチング蓋５が開放された姿勢時に不用意に外力により閉じ方向に転倒することなく、より安心して出入りできるようにするために、グレーチング蓋５の周枠８における回動軸１０の中心位置より偏した位置にピン孔１７を設け、このピン孔１７に図７に示す転倒防止用ロックピン１８を挿入し、この挿入に伴い該転倒防止用ロックピン１８が受け枠４上に係止できるようになしてある。
【００２４】
補助梯子６の不使用時には、補助梯子６の手摺用縦杆１１の下端部１１ｂを受け枠４の梯子支持部１４である支持突起１６または支持孔から抜き出し、図４〜図６に示すように、この補助梯子６を上下反転させて最下段の足掛け用横杆１２Ｅを受け枠４の片方の梯子支持部１３の支持板１５に引掛けて立坑２の内壁に添う垂れ下げ状態に収納する。このように補助梯子６の足掛け用横杆１２Ｅを梯子支持部１３に引掛けて垂れ下げることにより、グレーチング蓋５の格子部の孔を塞ぐことのない補助梯子６の収納状態を得ることができるため、グレーチング蓋５は透水性を確保しつつ立坑２の出入口３を塞ぐことができる。したがって、受け枠４の梯子支持部１３は、補助梯子６の起立姿勢の支持機能と補助梯子６の不使用時における収納機能とを兼備することができる。
【００２５】
図１、図４に示すように、補助梯子６の不用意な紛失や落下を防止するため、補助梯子６は受け枠４に対し、一端部を梯子支持部１３に、他端部を補助梯子６にそれぞれ結合した鎖１９でつないでいる。鎖１９の長さは、補助梯子６を使用姿勢に、また収納状態にそれぞれ自在に姿勢変更できる余裕を持った長さに設定している。
【００２６】
上記実施例では、着脱可能な連結手段１４として、補助梯子６の手摺用縦杆１１の下端部１１ｂを支持突起１６もしくは支持孔からなる梯子支持部１３に対し抜き差し可能にする構成を採用するが、これに代えて、図８に示すように補助梯子６の上下方向の略中間部に配された足掛け用横杆１２Ｍを支持突起１６もしくは支持孔からなる梯子支持部１３に対し抜き差し可能にすることもできる。これによると、補助梯子６の上下方向の略中間部に配された足掛け用横杆１２Ｍを梯子支持部１３の支持突起１６もしくは支持孔に差し込んで補助梯子６が上端部６ａを受け枠４より上方に突出する起立姿勢に支持することにより、立坑２内に既設の最上段のステップ７Ｔと立坑２の出入口３との間隔が大きく開いていてその間での足掛けや手摺が困難ないし不可能である場合も、その間隔を補助梯子６の上下方向の略中間部に配された足掛け用横杆１２Ｍと補助梯子６の下端部との間の部分で足掛けや手摺作用を補うことができて安全な出入りを期することができて有利である。
【００２７】
また、上記した各実施例に代えて、図９に示すように、補助梯子６の下端側に、受け枠４の梯子支持部１３の支持突起１６または支持孔に係合可能な短尺筒体または棒体等からなる係合部２０を付設することができる。
これによれば、梯子支持部１３が補助梯子６の起立姿勢の支持機能と、補助梯子６の不使用時における収納機能とを発揮することができる。また、補助梯子６の下端側の係合部２０を梯子支持部１３に引掛けて補助梯子６を垂れ下げることにより、グレーチング蓋５の格子部の孔を塞ぐことのない補助梯子６の収納状態を得ることができるため、グレーチング蓋５の格子部の透水性を確保できる。
【符号の説明】
【００２８】
１  グレーチング構造
２  立坑
３  出入り口
４  受け枠
５  グレーチング蓋
６  補助梯子
６ａ  補助梯子の上端部
１１  手摺用縦杆
１１ｂ  手摺用縦杆の下端部
１２  足掛け用横杆
１２Ｅ  最下段の足掛け用横杆
１２Ｍ  略中間部の足掛け用横杆
１３  梯子支持部
１４  連結手段
１６  支持突起
１９  鎖
２０  係合部
【図１】
0003168703.tif 000003
【図２】
0003168703.tif 000004
【図３】
0003168703.tif 000005
【図４】
0003168703.tif 000006
【図５】
0003168703.tif 000007
【図６】
0003168703.tif 000008
【図７】
0003168703.tif 000009
【図８】
0003168703.tif 000010
【図９】
0003168703.tif 000011